(57)【要約】【課題】車両のキーを抜くなどして電源供給を不可能にした場合には録画データの欠落部補完ができず、さらに車載型機器に特有の電波状況に起因して不完全なデータを受信してしまうという問題が生じる。【解決手段】所定の時間隔（例えば、１分間）を記録データ用の１記録単位時間として予め設定しておき、その記録単位時間に基づいて、デジタル放送の記録・管理（補完）処理を行う。【選択図】図１
2009077050.tif 000002
【特許請求の範囲】
【請求項１】
移動体に載置可能なデジタル放送記録装置であって、
当該デジタル放送記録装置とは離れた位置にある別置型デジタル放送記録装置に対して、当該デジタル放送記録装置と同期して放送記録を行わせる同期記録指示手段と、
当該デジタル放送記録装置における記録動作中に記録データの欠落が生じたとき、所定の時間隔を記録データの１記録単位時間として予め設定しておき、当該欠落時刻が含まれている記録単位時間を特定して記憶する記録単位時間記憶手段と、
前記記録単位時間記憶手段に記憶されている記録単位時間を読み出し、当該記録単位時間ぶんのデータ群を、前記別置型デジタル放送記録装置に記録されている放送データから抽出する補完データ取得手段と、
前記補完データ取得手段からの出力に基づいて、前記記録データの欠落が生じた時刻を含む記録単位時間ぶんのデータ群を、前記別置型デジタル放送記録装置から抽出されたデータで置き換える補完手段と、
を備えたことを特徴とするデジタル放送記録装置。
【請求項２】
請求項１に記載のデジタル放送記録装置において、
前記同期記録指示手段は、通信回線または記録媒体を介して、放送記録の開始もしくは停止または予約を行うことを特徴とするデジタル放送記録装置。
【請求項３】
請求項１または２に記載のデジタル放送記録装置において、
記録すべきデジタル放送のデータ欠落が複数の記録単位時間にわたって生じているとき、前記補完データ取得手段は、前記別置型デジタル放送記録装置に対して、当該複数の記録単位時間に含まれるデータ群を順次要求することを特徴とするデジタル放送記録装置。
【請求項４】
請求項１〜３のいずれか一項に記載のデジタル放送記録装置において、
前記補完データ取得手段および前記補完手段は、デジタル放送の放送中に、当該デジタル放送の記録動作と並行して動作することを特徴とするデジタル放送記録装置。
【請求項５】
請求項１〜４のいずれか一項に記載のデジタル放送記録装置の動作に対応して動作する欠落データ送出手段を備えたことを特徴とする家庭設置型のデジタル放送記録装置。
【請求項６】
請求項１〜４のいずれか一項に記載のデジタル放送記録装置、および、請求項５に記載の家庭設置型のデジタル放送記録装置を備えたことを特徴とするデジタル放送記録システム。
【発明の詳細な説明】
【技術分野】
【０００１】
本発明は、デジタル放送を受信して記録するための装置およびシステムに関するものである。
【背景技術】
【０００２】
従来から、地上デジタル放送などを受信するために、録画機能付き車両搭載型受信装置が知られている（特許文献１）。斯かる受信装置において、録画すべきデータに欠落が生じた場合には電子番組ガイドＥＰＧを参照して再放送を再び録画したり、あるいは、家庭側の受信機器に対して再放送の録画を指示したりすることが知られている。また、再放送がない場合には、家庭側の受信機器で録画したデータを利用することが知られている。
【０００３】
【特許文献１】特開２００６−２２９７９４号公報
【発明の開示】
【発明が解決しようとする課題】
【０００４】
しかしながら、この種のデジタル放送受信装置では、再放送が行われている時間に車両のキーを抜くなどして電源供給を不可能にした場合には、欠落データの補完ができないという問題がある。また、家庭側の受信機器から補完用のデータを無線通信で受信する際には、そのための処理手順が具体的に明確に知られておらず、しかも、車載型機器に特有の電波状況に起因して、不完全なデータを受信してしまうという問題が生じる。
【課題を解決するための手段】
【０００５】
請求項１に係る発明は、移動体に載置可能なデジタル放送記録装置であって、当該デジタル放送記録装置とは離れた位置にある別置型デジタル放送記録装置に対して、当該デジタル放送記録装置と同期して放送記録を行わせる同期記録指示手段と、当該デジタル放送記録装置における記録動作中に記録データの欠落が生じたとき、所定の時間隔を記録データの１記録単位時間として予め設定しておき、当該欠落時刻が含まれている記録単位時間を特定して記憶する記録単位時間記憶手段と、前記記録単位時間記憶手段に記憶されている記録単位時間を読み出し、当該記録単位時間ぶんのデータ群を、前記別置型デジタル放送記録装置に記録されている放送データから抽出する補完データ取得手段と、前記補完データ取得手段からの出力に基づいて、前記記録データの欠落が生じた時刻を含む記録単位時間ぶんのデータ群を、前記別置型デジタル放送記録装置から抽出されたデータで置き換える補完手段とを備えている。
請求項２に係る発明は、請求項１に記載のデジタル放送記録装置において、前記同期記録指示手段が、通信回線または記録媒体を介して、放送記録の開始もしくは停止または予約を行う。
請求項３に係る発明は、請求項１または２に記載のデジタル放送記録装置において、記録すべきデジタル放送のデータ欠落が複数の記録単位時間にわたって生じているとき、前記補完データ取得手段は、前記別置型デジタル放送記録装置に対して、当該複数の記録単位時間に含まれるデータ群を順次要求する。
請求項４に係る発明は、請求項１〜３のいずれか一項に記載のデジタル放送記録装置において、前記補完データ取得手段および前記補完手段は、デジタル放送の放送中に、当該デジタル放送の記録動作と並行して動作する。
請求項５に係る発明は家庭設置型のデジタル放送記録装置であって、請求項１〜４のいずれか一項に記載のデジタル放送記録装置の動作に対応して動作する欠落データ送出手段を備えている。
請求項６に係る発明はデジタル放送記録システムであって、請求項１〜４のいずれか一項に記載のデジタル放送記録装置、および、請求項５に記載の家庭設置型のデジタル放送記録装置を備えている。
【発明の効果】
【０００６】
本発明によれば、デジタル放送記録装置に供給される電源が偶発的事故あるいは操作者の不注意などにより遮断された場合、または、電波状態が不良な場合にも、所定の記録単位時間に基づいてデジタル放送の記録・管理および補完処理を行うことにより、より確実な放送記録を実現することができる。
【発明を実施するための最良の形態】
【０００７】
以下、図面を参照して本発明の実施の形態を説明する。
【０００８】
＜実施の形態１＞
図１は、本発明を適用した車載用地上デジタル放送録画装置、および、この車載用地上デジタル放送録画装置と共に動作する家庭用地上デジタル放送録画装置を示したブロックである。なお、これらのデジタル放送録画装置はいずれも、地上デジタル放送を固定受信するものであって、いわゆるワンセグ受信をする場合については、後に実施形態の変形例として説明する。
【０００９】
１００は、車載用地上デジタル放送録画装置を示す全体図である。車載用地上デジタル放送録画装置１００において、２は地上デジタル放送の受信機であり、図示しないアンテナを介して地上デジタル放送を受信する。この受信機２は、地上デジタル放送の受信電界強度が所定の設計値以下になったとき、その時刻を受信不可時刻情報２Ａとして出力する。正常な受信が行われているときには、地上デジタル放送を復号して得た受信データ２Ｂを出力する。地上デジタル放送の受信機２から出力された受信不可時刻情報２Ａおよび受信データ２Ｂは、車載側録画機３０の録画装置４に供給される。
【００１０】
録画装置４は、未受信時刻情報記憶部６および録画データ補完部８を備えている。未受信時刻情報記憶部６は、地上デジタル受信機２から出力された受信不可時刻情報２Ａを入力し、その受信不可時刻（例えば、１４時２５分２８秒００）がどの「記録単位時間」に属しているかを決定して記憶する。本実施の形態では、１分間を一つの「記録単位時間」として記録データを管理している。より具体的に述べると、一例として挙げた上記１４時２５分２８秒００は、１４時２５分００秒００〜１４時２６分００秒００未満の期間を示す「記録単位時間＝１４時２５分」として記憶する（すなわち、各１分間の開始時刻を指定する）。言い換えると、受信に失敗した時間が例え５秒間であったとしても、その未受信データに対応した５秒間が含まれている「記録単位時間」を未受信時刻情報として記憶する。
【００１１】
また、受信に失敗した放送データが数分間にわたる場合（例えば、１８時０３分０５秒００から１８時０６分４５秒００のとき）、未受信時刻情報記録部６は、未受信時刻情報として４単位分の「記録単位時間」、すなわち「記録単位時間＝１８時０３分，１８時０４分，１８時０５分，１８時０６分」を記憶する。このように、各１分間の開始時刻を指定した未受信時刻情報は、未受信時刻情報（記録単位時間）６Ａとして出力される。
【００１２】
録画装置４に含まれている録画データ補完部８は、家庭側録画機６０から送られてくる未受信補完録画データ１２Ａ（後に詳述する）に基づいて、車載側録画機３０で録画できなかった欠落データの補完処理を実行する。
【００１３】
車載側録画機３０は、さらに録画予約時刻管理部１０および通信装置１２を備えている。録画予約時刻管理部１０は、図示しない入力装置から録画開始指示・録画終了指示・録画一時停止指示・録画予約（ＥＰＧによる録画予約を含む）などを入力する。この録画予約時刻管理部１０は、指定された時刻になると録画装置４に対して録画制御信号１０Ａを供給する。また録画予約時刻管理部１０は、通信装置１２に対して、録画の開始／停止／予約などを指定する録画同期情報１０Ｂを出力する。通信装置１２は、インターネット等の通信回線１３０を介して、録画同期情報１０Ｂを送信する。
【００１４】
家庭側に固定設置されたデジタル放送録画装置２００は、地上デジタル受信機４０を含む。この地上デジタル受信機４０は、受信データ４０Ａおよび放送時刻情報４０Ｂを録画機６０に出力する。
【００１５】
録画機６０は、録画装置４２，通信装置４６および録画予約時刻管理部４８を含む。録画装置４２は未録画データ抽出部４４を備えており、通信装置４６を介して受信された車載側からの録画同期情報１０Ｂに応答して、未受信時刻情報（記録単位時間）４６Ａを受けとる。この未受信時刻情報（記録単位時間）４６Ａに基づき、未録画データ抽出部４４は未録画補完データ４４Ａを通信装置４６に供給する。通信装置４６は、インターネット等の通信回線１３０を介して、未録画補完データ４４Ａを車載側の通信装置１２に送信する。
【００１６】
車載側の通信装置１２では、上記の未録画補完データ４４Ａを受信し、録画データ補完部８に対して未受信補完録画データ１２Ａを出力する。
【００１７】
図２は、インターネット等の通信回線１３０を介して行われる通信プロトコルの主要部分のみを示した図である。本図では記載を簡略化するために、受信確認信号・再送要求信号等については省略してある。
【００１８】
車載側のデジタル放送録画装置１００では、録画予約時刻管理部１０から録画制御信号１０Ａを介して録画記録指示が出されると（処理１００ａ）、家庭側のデジタル放送録画装置２００に対して同期録画の開始を指示する録画同期情報が送信される。すると、家庭側のデジタル放送録画装置２００では、地上デジタル放送の同期録画を開始する（処理２００ａ）。家庭側のデジタル放送録画装置２００で録画を行っている最中には、図１に関して述べた「記録単位時間」を同時に記録する。すなわち、地上デジタル放送の録画データと共に、各１分間の録画開始時刻を指定した「記録単位時間」を併せて記録していく。
【００１９】
車載側のデジタル放送録画装置１００では、録画を開始（処理１００ｂ）すると共に、受信不可時刻情報２Ａにより示される未受信時刻情報に対応した「記録単位時間」を記録する（１００ｃ）。その後、録画制御信号１０Ａにより録画終了または録画停止が指示されると、車載側の通信装置１２から録画同期情報１０Ｂとして、家庭側のデジタル放送録画装置２００に対して録画終了／停止指示が送られる（１００ｄ）。これにより、家庭側のデジタル放送録画装置２００は、録画の終了または停止をする（処理２００ｂ）。
【００２０】
車載側のデジタル放送録画装置１００では、録画の終了／停止（処理１００ｄ）が行われた後に、受信不可となっていた欠落画像データを表す「記録単位時間」の読み出しを行う（処理１００ｅ）。この読み出しにより、未受信時刻情報（記録単位時間）記憶部６から未受信時刻情報（記録単位時間）６Ａが出力される。次に、通信装置１２を介して、録画補完データの要求が行われる（処理１００ｆ）。
【００２１】
家庭側のデジタル放送録画装置２００では、その補完データ要求に応答して補完データを作成する（処理２００ｃ）。すなわち、通信装置４６から出力された未受信時刻情報（記録単位時間）４６Ａを入力した未録画データ抽出部４４は、その未受信時刻情報（記録単位時間）４６Ａに対応した録画データを未録画補完データ４４として通信装置４６に供給し、通信回線１３０を介して、車載側のデジタル放送録画装置１００に送信する（２００ｄ）。
【００２２】
車載側のデジタル放送録画装置１００では、受信した補完データに基づいて、既述の録画補完処理を行う（処理１００ｇ）。
【００２３】
図３は、地上デジタル放送として送信されるペイロードのヘッダ部分を示したデータ構成図である。本図の最下段に示すＰＴＳ／ＤＴＳを参照することにより、各ペイロード毎のタイムスタンプを抽出することは可能であるが、本実施の形態では、このタイムスタンプに基づいて欠落画像データを検出し、車載側での補完処理に供するものではない。すなわち、家庭側でデジタル放送を録画する際にも、録画記録用単位データ（データのひと塊）を指定する「記録単位時間」に基づいて所定時間内（＝本実施形態では１分間）の画像データを記録・管理していくことは既に説明した通りである。
【００２４】
図４〜図８は、本実施の形態による録画処理手順および補完処理手順を具体的に示したフローチャートである。
【００２５】
図４は、車載機側での録画処理手順を示すフローチャートである。ステップＳ２では、録画予約時刻管理部１０にて、録画時刻情報を取得する。ステップＳ４では、録画予約時刻管理部１０から通信装置１２を介して、家庭側録画機２００に録画同期情報１０Ｂを送信し、家庭側での録画開始を指示する。ステップＳ６では、録画予約時刻管理部１０から録画制御信号１０Ａにより車載側の録画装置４に録画開始を指示する。ステップＳ８では、地上デジタル放送が正常に受信されているか否かを判別する。本実施の形態では受信電界強度に基づいて判別を行っているが、受信信号の復号状態をモニタするなど、多くの方法が知られているので、いずれの方法をとってもかまわない。ステップＳ１０では、録画できなかった時刻情報（記録単位時間）を未受信時刻情報記憶部６に記憶する。ステップＳ１２では、正常に受信できたデータ時刻情報（記録単位時間）を、図示しない記録装置に記録する。ステップＳ１４では、録画予約時刻管理部１０に入力された録画が終了したか否かを判定する。ステップＳ１６では、録画予約時刻管理部１０から録画装置４に対して録画停止（一時停止および終了を含む。以下、フローチャートの説明については同様とする。）を指示する。ステップＳ１８では、家庭側での録画を停止させるために、録画予約時刻管理部１０から通信装置１２を介して、家庭側の録画機６０に録画同期情報１０Ｂを送信する。
【００２６】
図５は、家庭側での録画処理手順を示すフローチャートである。ステップＳ２０では、車載側の通信装置１２から録画開始要求があったか否かを判定する。この判定は、録画同期情報１０Ｂの受信により行う。ステップＳ２２において、家庭側の録画予約時刻管理部４８は、車載側から受け取った録画同期情報１０Ｂを基にして録画装置４２に録画開始を指示する。この指示は、録画制御信号４８Ａにより行われる。ステップＳ２４において、録画装置４２は放送録画と同時に、補完用時刻情報（記録単位時間）を図示しない記録装置に記録する。ステップＳ２６では、車載機側から録画停止要求が録画同期情報１０Ｂに基づいてなされているか否かを判定する。ステップＳ２８では、車載機側から指示された録画終了時間に達したか否かを判定する。なお、家庭側での録画最中において、車載機側との通信が途絶えた場合には録画終了時間に達したものとみなして、録画を終了することも可能である。
【００２７】
図６は、車載機側での欠落データ補完処理手順を示すフローチャートである。ステップＳ３０において、未受信時刻情報記憶部６から未受信時刻情報（記録単位時間）６Ａを読み出し、通信装置１２を介してこの未受信時刻情報（記録単位時間）６Ａを家庭側録画機６０に送信する。これにより、録画補完データの要求を行う。ステップＳ３２では、家庭側の録画機６０から録画補完データを受信するまで待機する。ステップＳ３４において、録画データ補完部８は、家庭側の録画機６０から送られてきた未受信補完録画データ１２Ａを使用し、未録画部分の録画補完処理を行う。
【００２８】
図７は、家庭機側での欠落データ作成処理手順を示すフローチャートである。ステップＳ４０では、車載機側から録画補完データの要求があるまで待機する（図２の１００ｆ参照）。ステップＳ４２において、未録画データ抽出部４４は、車載機側からの未受信時刻情報（記録単位時間）４６Ａを取得する。ステップＳ４４において、未録画データ抽出部４４は未受信時刻情報（記録単位時間）４６Ａに基づいて、未録画補完データ４４Ａを作成する。ステップＳ４６では、通信装置４６を介して未録画補完データ４４Ａを車載機側に送信する。
【００２９】
−実施の形態１による効果−
以上述べた実施の形態１によれば、所定の記録時間（例えば、１分間）を「記録単位時間」として録画データを記録・管理する構成としてあるので、タイムスタンプ等の時刻データを用いて録画データを管理する場合に比べて、欠落画像の送受信処理および補完処理が容易になる。しかも、未受信データに対応した未受信時刻が含まれている「記録単位時間」を未受信時刻情報として記憶しておくので、タイムスタンプ等を参照する手間が必要なくなり、処理手続きの簡略化および処理時間の短縮を図ることが可能になる。
【００３０】
＜実施の形態２＞
上述した実施の形態１では、番組録画が終了した後に、欠落画像データの補完を行う場合について説明した。
【００３１】
そこで、次の実施の形態２として、後追い再生などを可能にするために、放送番組の録画最中にリアルタイム補完を行う処理手順を説明する。
【００３２】
ここで説明する実施の形態２は、図１に示した構成と同じ構成を備えているので、各ブロックの説明は省略する。本実施の形態の特徴は、放送録画中に補完処理を行う点に存するので、図８を参照して実施の形態１との差異を述べる。
【００３３】
図８に示す通り、車載機側では、まず録画の記録開始が指示される（処理１００ｐ）。この処理は、図２に示した録画記録指示（処理１００ａ）と同じである。次に、録画を開始する（１００ｑ）。この処理も、図２に示した録画記録指示（処理１００ｂ）と同じである。
【００３４】
本実施の形態では、録画が行われている最中であっても、常に欠落画像が発生しているか否かをモニタしている（処理１００ｒ）。このモニタ処理は、図１に示した受信不可時刻情報２Ａの発生を監視することにより実現可能である。そして、受信画像に欠落が生じた場合には、直ちに録画補完データを家庭側の録画機６０に要求する（処理１００ｓ）。
【００３５】
家庭側の録画機６０は、補完データの即時要求に応答して、直ちに未録画データ抽出部４４で補完データ４４Ａを作成し、通信装置４６を介してその補完データ４４Ａを車載機側に送信する（処理２００ｑ）。車載側の録画データ補完部８では、受信した補完データに基づき補完処理を直ちに実行する（処理１００ｔ）。
【００３６】
上記の補完データ即時要求および即時補完処理は、録画が終了するまで行われる（処理１００ｕ）。
【００３７】
−実施の形態２による効果−
以上述べた実施の形態２によれば、既述の実施形態１が有する効果に加えて、リアルタイム補完処理を行うので、後追い再生画像を見ることにより、欠落データがない快適な番組を鑑賞することが可能となる。
【００３８】
なお、タイムスタンプなどを利用して欠落画像を検出する手法をとった場合には、欠落した放送を後処理で抽出しなければならないので、複雑な抽出処理および送信処理が必要となる。その結果として、迅速なリアルタイム補完処理は困難になるといえる。
【００３９】
＜その他の実施の形態＞
上述した実施の形態１および２は、以下に列挙するような変形を加えて実施することができる。
【００４０】
（１）車載側の受信機は、家庭側の受信機と同様、地上デジタル放送を固定受信するとの前提で説明してきたが、電波状況に応じて、あるいは操作者の判断に従って、いわゆるワンセグ受信とすることも可能である。特に、カーナビゲーション装置に内蔵のチューナと一体的に構成することにより、利便性を高めることができる。
【００４１】
（２）地上デジタル放送の録画装置は、車両に搭載するばかりでなく、デスクトップ型パソコンのＵＳＢ端末用受信ボードとして、あるいはノートパソコンのＰＣカードとして実装することも可能である。さらに、画像録画に限らず、デジタルオーディオ放送のレコーダとして構成することも可能である。
【００４２】
（３）家庭側に設置してある録画機については、メモリ領域の浪費を防ぐという観点から、車載側における一連の録画・補完処理が終了した後には、自動的に録画データを削除する構成をとることができる。
【００４３】
（４）記録データの１記録単位時間として、これまで説明してきた実施の形態では、１分間という単位時間を設定したが、デジタル放送の種類・内容に応じて、あるいは、リアルタイム補完を実施するか否かに応じて、適宜変更するのが好適である。
【００４４】
（５）車載側の録画機に録画指示を与える際に、ＥＰＧデータを使った予約機能を持たせることも可能である。
【００４５】
（６）上述した実施の形態１および２では、インターネット等の通信回線を介して補完データの要求および受け取りを行ったが、着脱自在な記録媒体を用いて、同様の処理を行うことも可能である。
【００４６】
（７）上述した実施の形態１および２では、家庭側に設置した録画機について説明したが、家庭側に固定設置する録画機の代わりに、電波受信状況が良好な移動体もしくは半固定設備に載置した録画機を用いることも可能である。本発明が意図するところは、移動体載置型の記録装置に対して補完データを供給できる記録装置であれば、固定設置あるいは移動設置を問わない。
【００４７】
（８）上述した実施の形態１および２では、家庭側に設置したデジタル放送受信機および録画機について説明したが、家庭側に設置するデジタル放送受信機は、電波を受信してデジタル放送信号を再生するのみならず、光ケーブル等を介して配信されたデジタル放送を再生する受信機であっても良いことは勿論である。
【００４８】
本発明の特徴的な機能を損なわない限り、本発明は、上述した実施の形態における構成に限定されるものではない。
【００４９】
特許請求の範囲に記載したデジタル放送記録装置は、図１の車載側機器１００に相当する。別置型デジタル放送記録装置は、図１の家庭側機器２００に相当する。同期記録指示手段は、図１の録画予約時刻管理部１０に相当する。記録単位時間記憶手段は、図１の未受信時刻情報記憶部６に相当する。補完データ取得手段は、図１の通信装置１２，通信回線１３０，通信装置４６，未録画データ抽出部４４に相当する。補完手段は、図１の録画データ補完部８に相当する。
【００５０】
なお、以上の説明はあくまでも一例であり、本発明を解釈する際に、上記実施の形態の記載事項と特許請求の範囲の記載事項との対応関係に何ら限定も拘束もされない。
【図面の簡単な説明】
【００５１】
【図１】本発明を適用した車載用地上デジタル放送録画装置、および、この車載用地上デジタル放送録画装置と共に動作する家庭用地上デジタル放送録画装置を示したブロック図である。
【図２】インターネット等の通信回線１３０を介して行われる通信プロトコルの主要部分のみを示した図である。
【図３】地上デジタル放送として送信されるペイロードのヘッダ部分を示したデータ構成図である。
【図４】車載機側での録画処理手順を示すフローチャートである。
【図５】家庭機側での録画処理手順を示すフローチャートである。
【図６】車載機側での補完処理手順を示すフローチャートである。
【図７】家庭機側での欠落データ作成処理手順を示すフローチャートである。
【図８】本発明の第２の実施の形態として、放送番組の録画最中にリアルタイム補完を行う処理手順を示した図である。
【符号の説明】
【００５２】
２  地上デジタル放送受信機
２Ａ  受信不可時刻情報
２Ｂ  受信データ
４  録画装置
６  未受信時刻情報記憶部
６Ａ  未受信時刻情報（記録単位時間）
８  録画データ補完部
１０  録画予約時刻管理部
１０Ａ  録画制御信号
１０Ｂ  録画同期情報
１２  通信装置
１２Ａ  未受信補完録画データ
３０  車載側録画機
４０  地上デジタル受信機
４２  録画装置
４４  未録画データ抽出部
４４Ａ  未録画補完データ
４６  通信装置
４６Ａ  未受信時刻情報（記録単位時間）
４６Ｂ  録画同期情報
４８  録画予約時刻管理部
４８Ａ  録画制御信号
６０  家庭側録画機
１００  車載用デジタル放送録画装置
２００  家庭用デジタル放送録画装置
【図１】
2009077050.tif 000003
【図２】
2009077050.tif 000004
【図３】
2009077050.tif 000005
【図４】
2009077050.tif 000006
【図５】
2009077050.tif 000007
【図６】
2009077050.tif 000008
【図７】
2009077050.tif 000009
【図８】
2009077050.tif 000010